(57)【要約】  無線基地局と端末との間で無線通信を行う無線通信システムにおいて、前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成する広告メッセージ生成部と、前記第２の無線基地局へのハンドオーバ指示を含むハンドオーバ要求メッセージを生成するハンドオーバ要求メッセージ生成部と、前記広告メッセージと前記ハンドオーバ要求メッセージとを前記端末に送信する送信部とを備え、前記端末には、前記広告メッセージと前記ハンドオーバ要求メッセージとを受信する受信部と、前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う端末側ハンドオーバ処理部とを備えることを特徴とする。
2008050424.tif 000002
【特許請求の範囲】
【請求項１】
無線基地局と端末との間で無線通信を行う無線通信システムにおいて、
前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成する広告メッセージ生成部と、
前記第２の無線基地局へのハンドオーバ指示を含むハンドオーバ要求メッセージを生成するハンドオーバ要求メッセージ生成部と、
前記広告メッセージと前記ハンドオーバ要求メッセージとを前記端末に送信する送信部とを備え、
前記端末には、
前記広告メッセージと前記ハンドオーバ要求メッセージとを受信する受信部と、
前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う端末側ハンドオーバ処理部とを備える、
ことを特徴とする無線通信システム。
【請求項２】
前記無線基地局は、更に、端末からの登録処理を行う登録処理部を備え、
前記端末は、前記無線基地局への登録手順を行う登録処理部を備え、
前記無線基地局の登録処理部は、端末の登録手順が完了したことを契機に前記広告メッセージと前記ハンドオーバ要求メッセージとを前記端末に送信することを特徴とする請求項１記載の無線通信システム。
【請求項３】
前記無線基地局には、更に、前記第２の無線基地局の前記チャネル情報が予め登録された第１の情報テーブルを備え、
前記広告メッセージ生成部は前記第２の情報テーブルを参照して前記広告メッセージを生成することを特徴とする請求項１記載の無線通信システム。
【請求項４】
前記無線基地局には、更に、前記端末との通信が切断されたとき当該端末の情報を履歴リストに登録するとともに、前記端末が前記第２の無線基地局との間でハンドオーバが完了したとき当該第２の無線基地局の情報を前記履歴リストに登録するリスト登録部と、
前記履歴リストを参照し、前記第２の無線基地局へハンドオーバした前記端末が閾値以上のとき、前記第２の無線基地局の情報を第１の情報テーブルに登録する無線基地局検出部とを備え、
前記広告メッセージ生成部は前記第１の情報テーブルを参照して前記広告メッセージを生成することを特徴とする請求項１記載の無線通信システム。
【請求項５】
前記リスト登録部には、前記端末との間で通信が切断されたか否かを検出する登録処理部と、前記第２の無線基地局から前記端末のハンドオーバの完了通知を受ける第１の無線基地局側ハンドオーバ処理部とを含み、
前記登録部は、前記端末との間で通信が切断されたこを検出したとき、少なくとも前記端末の識別子を前記履歴リストに登録し、
前記ハンドオーバ処理部は、前記ハンドオーバの完了通知を受けたとき、少なくとも前記第２の無線基地局の識別子を前記履歴リストに登録することを特徴とする請求項４記載の無線通信システム。
【請求項６】
前記リスト登録部には、前記第２の無線基地局から前記端末のハンドオーバの完了通知を受ける第１の無線基地局側ハンドオーバ処理部を含み、
前記第１の無線基地局側ハンドオーバ処理部は、予め指定された時間だけ前記履歴リストに前記端末と前記第２の無線基地局の情報を登録することを特徴とする請求項４記載の無線通信システム。
【請求項７】
前記無線基地局には、更に、前記端末が前記無線基地局との登録が完了した後であって前記送信部から前記広告メッセージが少なくとも一回送信された後に、前記無線基地局との登録で使用される前記端末の通信パラメータを、前記無線基地局と前記第２の無線基地局とが接続されたバックボーンネットワークを介して前記第２の無線基地局に送信する第２の無線基地局側ハンドオーバ処理部を備え、
前記端末と前記第２の無線基地局とのハンドオーバの登録を行う際に前記通信パラメータにより当該登録の手順が省略されることを特徴とする請求項１記載の無線通信システム。
【請求項８】
前記端末と前記無線基地局若しくは前記第２の無線基地局とのハンドオーバの登録とは、初期レンジングからレジストレーションまでの各手順で対応したメッセージを前記端末と前記無線基地局若しくは前記第２の無線基地局との間で行われることであって、前記端末の通信パラメータは前記各手順で対応したメッセージに含まれる情報である、ことを特徴とする請求項７記載の無線通信システム。
【請求項９】
前記端末側ハンドオーバ処理部は、前記第２の無線基地局とハンドオーバ可能な状態ではないことを検出したとき、前記無線基地局からの前記ハンドオーバ要求メッセージによるハンドオーバ要求を保留し、前記無線基地局との通信が切断されたときに前記チャネル情報を用いて前記ハンドオーバ要求メッセージで指示された前記第２の無線基地局へのハンドオーバを行うことを特徴とする請求項１記載の無線通信システム。
【請求項１０】
前記端末側ハンドオーバ処理部は、前記第２の無線基地局からの電波強度を測定することで前記第２の無線基地局とハンドオーバ可能な状態か否かを検出することを特徴とする請求項９記載の無線通信システム。
【請求項１１】
端末との間で無線通信を行う無線基地局において、
前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成する広告メッセージ生成部と、
前記第２の無線基地局へのハンドオーバ指示を含むハンドオーバ要求メッセージを生成するハンドオーバ要求メッセージ生成部と、
前記広告メッセージと前記ハンドオーバ要求メッセージとを前記端末に送信する送信部とを備えることを特徴とする無線基地局。
【請求項１２】
無線基地局と端末との間で無線通信を行う無線通信システムにおける無線基地局切替え方法おいて、
前記無線基地局において、
前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成して前記端末に送信し、
前記第２の無線基地局へのハンドオーバ指示を含むハンドオーバ要求メッセージを生成して前記端末に送信し、
前記端末において、
前記広告メッセージと前記ハンドオーバ要求メッセージとを受信し、
前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う、
ことを特徴とする無線基地局切替え方法。
【請求項１３】
無線基地局と無線通信を行う移動端末において、
前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めた前記広告メッセージを受信するとともに、前記第２の無線基地局へのハンドオーバ指示を含むハンドオーバ要求メッセージを受信する受信部と、
前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う端末側ハンドオーバ処理部とを備えることを特徴とする移動端末。
【請求項１４】
移動端末との間で無線通信を行う無線基地局において、  
該無線基地局の形成する第１無線エリアに隣接しない第２無線エリアを形成する無線基地局の送信チャネル情報を送信する送信部、
を備えたことを特徴とする無線基地局。
【請求項１５】
前記送信部は、配下の移動端末に対して、前記第２無線エリアを形成する無線基地局へのハンドオーバを指示する信号を送信する、ことを特徴とする請求項１４記載の無線基地局。
【請求項１６】
無線基地局との間で無線通信を行う移動端末において、
該無線基地局から該無線基地局の形成する第１無線エリアに隣接しない第２無線エリアを形成する無線基地局の送信チャネル情報を受信する受信部と、
該送信チャネル情報を用いて、該第２無線エリアを形成する無線基地局からの受信電波の検出を行うスキャン部と、
を備えたことを特徴とする移動端末。
【発明の詳細な説明】
【技術分野】
【０００１】
本発明は、無線通信を利用した無線通信システム、無線基地局、及び基地局切替え方法に関する。例えば、ハンドオーバ先の無線基地局と端末との再接続時間の短縮を図った無線通信システム等に用いて好適である。
【背景技術】
【０００２】
一般に無線通信システムでは、端末ＭＳ（Mobile
Station）がトンネル等の電波不到領域を通過しているとき、端末ＭＳには無線基地局ＢＳ（Base Station）からの電波が届かずに、無線基地局ＢＳとの間で通信が途切れてしまう場合がある。端末ＭＳは、トンネルを抜けて再度電波を受信できる状態になると、新たに無線基地局ＢＳを探し、当該無線基地局ＢＳに再接続を試みる。【０００３】
しかし、端末ＭＳは新たな無線基地局ＢＳからの電波を受信できる状態になった後に再接続を試みるため、無線基地局ＢＳとの通信再開まで時間がかかる。そのため、端末ＭＳを使用するユーザは不便さを感じる。【０００４】
そこで、ＩＥＥＥ８０２．１６ｅ（例えば、以下の非特許文献１）では、端末ＭＳの接続元の無線基地局ＢＳ（以下、ＳＢＳ（Serving Base Station））への接続が突然切れたときに、無線基地局ＢＳ（無線基地局ＳＢＳ、または再接続先の無線基地局ＢＳ（以下、ＴＢＳ（Target
Base Station））に再接続する手法を規定している。【０００５】
かかる手法を用いることで、接続元の無線基地局ＳＢＳから再接続先の新たな無線基地局ＴＢＳに対して、端末ＭＳの接続情報が送信されるため、端末ＭＳが無線基地局ＴＢＳへ再接続する際の処理時間を短縮することができる。【０００６】
尚、送信される端末ＭＳの接続情報とは、接続パラメータ(Registration/Capabilityのネゴシエーション情報、バーストプロファイル)や状態情報（サービスフローのコネクション識別子、認証情報、暗号化キー情報、ARQパラメータ等）などであり、主に登録手順（詳細は後述）で交換されるメッセージに含まれる情報である。かかる情報を以下「コンテキスト」と称する。【０００７】
図１１は、かかる動作を説明するための図である。端末ＭＳは第１の無線基地局ＢＳ１と接続して通信を行っている。端末ＭＳが移動してトンネルに入ると、第１の無線基地局ＢＳ１から電波が届かなくなり、端末ＭＳと第１の無線基地局ＢＳ１との接続が切れる。接続が切れると端末ＭＳは第１の基地局ＢＳ１のＩＤを記憶し、新たな無線基地局ＴＢＳの電波を探す。一方、第１の無線基地局ＢＳ１は端末ＭＳのコンテキストを一定時間保持する。【０００８】
端末ＭＳは、トンネルを抜け第２の無線基地局ＢＳ２の電波を検出すると第２の無線基地局ＢＳ２に対して再接続のための登録手順を行う。このとき端末ＭＳは、以前に接続した無線基地局ＢＳが第１の無線基地局ＢＳ１であることを通知し、第２の無線基地局ＢＳ２は第１の無線基地局ＢＳ１からコンテキストを送信してもらう。第２の無線基地局ＢＳ２では端末ＭＳのコンテキストを保持するため、端末ＭＳは第２の無線基地局ＢＳとの間で登録手順の一部を省略できる。【０００９】
図１２は、詳細なシーケンスの例を示す図である。【００１０】
端末ＭＳは無線基地局ＳＢＳ（第１の無線基地局ＢＳ１）と接続し通信を行っている。このとき、無端基地局ＳＢＳは、当該無線基地局ＳＢＳの電波到達範囲（以下、「セル」）と隣接したセル範囲を有する無線基地局ＢＳに関する広告メッセージ（ＭＯＢ＿ＮＢＲ−ＡＤＶメッセージ）をブロードキャストで送信している。【００１１】
端末ＭＳがトンネル区間に入り、端末ＭＳ及び無線基地局ＢＳが、定期的に交換しているメッセージを一定時間送受信できない（Ｋｅｅｐ  Ａｌｉｖｅできない）と、接続が切断したと判断する（Ｓ２０１、Ｓ２０２）。【００１２】
例えば、端末ＭＳや無線基地局ＢＳは、ＲＮＧ−ＲＥＱ（Ranging
Request）やＲＮＧ−ＲＳＰ（Ranging Response）などのメッセージのシーケンスが途絶えると、接続の切断を検出する。また、無線基地局ＢＳから定期的にブロードキャストで送信される、ＤＣＤ（Downlink
Channel Descriptor）やＵＣＤ（Uplink Channel Descriptor）などのメッセージ（無線チャネル上のバーストの変調方法等を指定するメッセージ）を端末ＭＳが受信できないときも、端末ＭＳは接続の切断を検出する。【００１３】
端末ＭＳは、無線基地局ＳＢＳとの通信の切断を検出すると、無線基地局ＳＢＳのＩＤを記憶し、接続可能な他の無線基地局ＢＳを探すため、電波のスキャンを行う（Ｓ２０３）。一方、無線基地局ＳＢＳは端末ＭＳとの通信の切断を検出すると、端末ＭＳのコンテキストを一定時間保持するためのタイマー（Ｒｅｓｏｕｒｃｅ  Ｒｅｔａｉｎ  Ｔｉｍｅｒ）をスタートする。【００１４】
その後、端末ＭＳはスキャンを継続し、他の無線基地局ＴＢＳからの電波を受信すると、無線基地局ＢＳからＤＣＤ及びＵＣＤのメッセージの受信を待つ。端末ＭＳは、無線基地局ＴＢＳからこれらのメッセージを受信すると（Ｓ２０４）、無線基地局ＴＢＳに対して登録手順を開始する。登録手順は、（１）Ｉｎｉｔｉａｌ  Ｒａｎｇｉｎｇ、（２）Ｂａｓｉｃ  ｃａｐａｂｉｌｉｔｙの交換、（３）認証、（４）レジストレーションの順で構成された手順であり、それぞれにおいて対応するメッセージが端末ＭＳと無線基地局ＢＳとの間で交換される。【００１５】
ここで、端末ＭＳは、登録手順の最初であるＲＮＧ−ＲＥＱメッセージに無線基地局ＳＢＳのＩＤを挿入して当該メッセージを無線基地局ＴＢＳに送信する（Ｓ２０５）。【００１６】
無線基地局ＴＢＳは、ＲＮＧ―ＲＥＱメッセージを受信して、無線基地局ＳＢＳのＩＤを取得すると、無線基地局ＳＢＳに対して端末ＭＳのコンテキストの取得を試みる。無線基地局ＴＢＳは、無線基地局ＳＢＳのタイマー時間内であれば、端末ＭＳのコンテキストを取得できる（Ｓ２０６）。【００１７】
そして、無線基地局ＴＢＳは、取得したコンテキストを含むＲＮＧ−ＲＳＰメッセージを端末ＭＳに送信する（Ｓ２０７）。【００１８】
コンテキストには、登録手順で交換される各メッセージに挿入される情報が含まれているため、端末ＭＳと無線基地局ＢＳとの間では、ＳＢＣ−ＲＥＱ及びＳＢＣ−ＲＳＰの各メッセージ（Ｂａｓｉｃ  ｃａｐａｂｉｌｉｔｙで交換されるメッセージ）や、ＲＥＧ−ＲＥＱ及びＲＥＧ−ＲＳＰの各メッセージ（レジストレーションで交換されるメッセージ）の送受信を省略し、再登録時間の短縮を図ることができる。
【非特許文献１】http://standards.ieee.org/getieee802/download/802.16e-2005.pdf  IEEEStd 802.16e-2005
【発明の開示】
【発明が解決しようとする課題】
【００１９】
しかしながら、端末ＭＳはスキャンを行う際に（Ｓ２０３）、全ての無線基地局ＢＳを対象として全周波数のスキャンを実行するため、無線基地局ＴＢＳの周波数の電波を見つけ出すために時間がかかる。【００２０】
また、無線基地局ＢＳはＤＣＤ及びＵＣＤのメッセージを数十秒（例えば、デフォルトで１０秒など）の間隔で送信する。よって、端末ＭＳは、無線基地局ＴＢＳの周波数の電波を見つけた後、当該メッセージを受信するのに、受信タイミングによっては最大でこの送信間隔時間分だけ待たされることになる。【００２１】
更に、無線基地局ＴＢＳでは、端末ＭＳのコンテキスト取得の際に、端末ＭＳからのＲＮＧ−ＲＥＱメッセージを受信した後に無線基地局ＳＢＳに当該コンテキストの取得を問い合わせているため、ＲＮＧ−ＲＥＱメッセージが受信されるまで、コンテキストの取得が待たされる。【００２２】
そこで、本発明は上記問題点に鑑みてなされたもので、その目的は、互いにセル範囲が隣接しない電波不達領域のある無線基地局間を端末が移動する場合に、再接続先の無線基地局と端末との間における再接続時間を短縮するようにした無線通信システムや、無線基地局、移動端末、及び基地局切替え方法を提供することにある。
【課題を解決するための手段】
【００２３】
上記目的を達成するために、本発明の一実施態様によれば、無線基地局と端末との間で無線通信を行う無線通信システムにおいて、前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成する広告メッセージ生成部と、前記第２の無線基地局へのハンドオーバ指示を含むハンドオーバ要求メッセージを生成するハンドオーバ要求メッセージ生成部と、前記広告メッセージと前記ハンドオーバ要求メッセージとを前記端末に送信する送信部とを備え、前記端末には、前記広告メッセージと前記ハンドオーバ要求メッセージとを受信する受信部と、前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う端末側ハンドオーバ処理部とを備えることを特徴とする。【００２４】
また、上記目的を達成するために本発明の他の実施態様によれば、端末との間で無線通信を行う無線基地局において、前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成する広告メッセージ生成部と、前記第２の無線基地局へのハンドオーバ指示を含むハンドオーバ要求メッセージを生成するハンドオーバ要求メッセージ生成部と、前記広告メッセージと前記ハンドオーバ要求メッセージとを前記端末に送信する送信部とを備えることを特徴とする。【００２５】
更に、上記目的を達成するために本発明の他の実施態様によれば、無線基地局と端末との間で無線通信を行う無線通信システムにおける無線基地局切替え方法おいて、前記無線基地局において、前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成して前記端末に送信し、前記第２の無線基地局へのハンドオーバ指示を含むハンドオーバ要求メッセージを生成して前記端末に送信し、前記端末において、前記広告メッセージと前記ハンドオーバ要求メッセージとを受信し、前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行うことを特徴とする。【００２６】
更に、上記目的を達成するために本発明の他の実施態様によれば、無線基地局と無線通信を行う移動端末において、前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めた前記広告メッセージを受信するとともに、前記第２の無線基地局へのハンドオーバ指示を含むハンドオーバ要求メッセージを受信する受信部と、前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う端末側ハンドオーバ処理部とを備えることを特徴とする。
【発明の効果】
【００２７】
本発明によれば、互いにセル範囲が隣接しない無線基地局間を端末が移動する場合に、再接続先の無線基地局と端末との間における再接続時間を短縮することができる。
【図面の簡単な説明】
【００２８】
【図１】図１は原理構成例を示す図である。
【図２】図２は他の原理構成例を示す図である。
【図３】図３はネットワーク構成例を示す図である。
【図４】図４は無線基地局の構成例を示す図である。
【図５】図５は端末の構成例を示す図である。
【図６】図６は処理シーケンスの例を示す図である。
【図７】図７（Ａ）はＤｉｓｔａｎｔ  Ｎｅｉｇｈｂｏｒ  ＢＳリスト、同図（Ｂ）はＮｅｉｇｈｂｏｒ  ＢＳリスト、同図（Ｃ）は無線基地局におけるＲｅｃｏｍｍｅｎｄ  ＢＳリスト、同図（Ｄ）は端末におけるＲｅｃｏｍｍｅｎｄ  ＢＳリストの、夫々の例を示す図である。
【図８】図８は無線基地局の他の構成例を示す図である。
【図９】図９は処理シーケンスの例を示す図である。
【図１０】図１０はＤｒｏｐ＆Ｒｉｃｏｖｅｒリストの例を示す図である。
【図１１】図１１は従来における再接続動作を説明するための図である。
【図１２】図１２は従来における処理シーケンスの例を示す図である。
【符号の説明】
【００２９】
１１：Ｄｉｓｔａｎｔ  Ｎｅｉｇｈｂｏｒ登録処理部（Ｄｉｓｔａｎｔ  Ｎｅｉｇｈｂｏｒ  ＢＳ登録処理部）
１２：Ｄｉｓｔａｎｔ  Ｎｅｉｇｈｂｏｒ情報テーブル
１３：登録処理部                      １４：ＢＳＨＯ処理部
１５：コンテキストバッファ            １６：Ｄｉｓｔａｎｔ  Ｎｅｉｇｈｂｏｒ  検出部（Ｄｉｓｔａｎｔ  Ｎｅｉｇｈｂｏｒ  ＢＳ検出処理部）
２０：メッセージ送受信処理部          ２１：ネットワークエントリ処理部
２２：スキャンレポート処理部          ２３：Ｎｅｉｇｈｂｏｒ  ＢＳ情報生成処理部
２４：ＢＳＨＯ判定部                  ２６：ＨＯ要求処理部  
５１：ＭＳＨＯ処理部                  ５２：Ｎｅｉｇｈｂｏｒ情報テーブル
５３：登録処理部                      ５４：ｒｅｃｏｍｍｅｎｄ  ＢＳリスト
５５：Ｄｒｏｐ検出部                  ６１：メッセージ送受信処理部
６２：ネットワークエントリ処理部      ６３：物理層処理部
５１１：ＢＳＨＯ−ＲＥＱ受信処理部    ５１２：ＮＢＲ−ＡＤＶ受信処理部
５１３：スキャン処理部                ５１４：ＨＯ判定部
Ｌ１：Ｄｉｓｔａｎｔ  Ｎｅｉｇｈｂｏｒ  ＢＳリスト
Ｌ２：Ｎｅｉｇｈｂｏｒ  ＢＳリスト    Ｌ３：Ｒｅｃｏｍｍｅｎｄ  ＢＳリスト
Ｌ４：Ｒｅｃｏｍｍｅｎｄ  ＢＳリスト  ＢＳ：無線基地局
ＳＢＳ：接続元の無線基地局            ＴＢＳ：接続先の無線基地局
ＭＳ：端末                      
【発明を実施するための最良の形態】
【００３０】
本発明を実施するための最良の形態について以下説明する。
【実施例１】
【００３１】
図１は無線通信システムの実施例を示す図である。同図は、互いにセル範囲が隣接しない関係にある無線基地局ＳＢＳ（Serving BS、ハンドオーバ元の無線基地局ＢＳ）と無線基地局ＴＢＳ（Target BS、ハンドオーバ先の無線基地局ＢＳ）との間を端末ＭＳが移動している様子が示されている。無線基地局ＳＢＳ、ＴＢＳ間はバックボーンネットワーク１００により互いに接続される。【００３２】
無線基地局ＳＢＳは、Ｄｉｓｔａｎｔ  Ｎｅｉｇｈｂｏｒ登録処理部１１と、Ｄｉｓｔａｎｔ  Ｎｅｉｇｈｂｏｒ情報テーブル１２と、登録処理部１３と、ＢＳＨＯ（Base Station Hand Over）処理部１４とを備える。【００３３】
Ｄｉｓｔａｎｔ  Ｎｅｉｇｈｂｏｒ登録処理部１１は、Ｄｉｓｔａｎｔ  Ｎｅｉｇｈｂｏｒ無線基地局ＢＳを、Ｄｉｓｔａｎｔ  Ｎｅｉｇｈｂｏｒ情報テーブル１２に登録する。Ｄｉｓｔａｎｔ  Ｎｅｉｇｈｂｏｒ無線基地局ＢＳとは、当該無線基地局ＳＢＳとセル範囲が物理的には、隣接していないが、移動した端末ＭＳが次に接続する可能性のある無線基地局ＢＳのことをいう。【００３４】
Ｄｉｓｔａｎｔ  Ｎｅｉｇｈｂｏｒ情報テーブル１２には、Ｄｉｓｔａｎｔ  Ｎｅｉｇｈｂｏｒ無線基地局ＢＳの識別子とチャネル情報（ＤＣＤ及びＵＣＤメッセージに含まれる情報）が登録される。【００３５】
尚、ＤＣＤ及びＵＣＤメッセージは従来技術でも説明したように、端末ＭＳと無線基地局ＢＳとの間で送受信されるフレームの、復調、変調方式等を規定するためのメッセージである。これらのメッセージは、無線基地局ＳＢＳと端末ＭＳとの間で定期的に交換される。【００３６】
登録処理部１３は、当該無線基地局ＳＢＳへ接続を希望する端末ＭＳからの接続要求を受け付け、必要な登録手順（（１）Ｉｎｉｔｉｎａｌ  Ｒａｎｇｉｎｇ、（２）Ｂａｓｉｃ  Ｃａｐａｂｉｌｉｔｙの交換、（３）認証、（４）レジストレーションの順で行われる手順）を実行する。【００３７】
ＢＳＨＯ処理部１４は、端末ＭＳへのハンドオーバを指示すると共に、当該無線基地局ＳＢＳのセル範囲に隣接した無線基地局ＢＳ（以下、隣接無線基地局ＢＳ）や、Ｄｉｓｔａｎｔ  Ｎｅｉｇｈｂｏｒ無線基地局ＢＳにコンテキストを、バックボーンネットワーク１００を介して送信する。尚、ハンドオーバの指示には、接続先の無線基地局ＴＢＳを示す情報が含まれる。【００３８】
本実施例におけるコンテキストも、従来技術で説明したように、端末ＭＳと無線基地局ＢＳとの間で登録手順において送受信されるメッセージに含まれる情報である。【００３９】
接続先の無線基地局ＴＢＳは、登録処理部１３と、ＢＳＨＯ処理部１４と、コンテキストバッファ１５を備える。【００４０】
登録処理部１３は、接続元の無線基地局ＳＢＳの登録処理部１３と同様である。無線基地局ＴＢＳにおけるＢＳＨＯ処理部１４は、他の無線基地局ＢＳからのコンテキストを受信する機能も備える。コンテキストバッファ１５は受信したコンテキストの情報を保持する。【００４１】
一方、端末ＭＳは、ＭＳＨＯ（Mobile
Station Hand Over）処理部５１と、Ｎｅｉｇｈｂｏｒ情報テーブル５２と、登録処理部５３と、ｒｅｃｏｍｍｎｅｄ  ＢＳリスト５４を備える。【００４２】
ＭＳＨＯ処理部５１は、無線基地局ＳＢＳからのハンドオーバ指示を受け付け、端末ＭＳにおけるハンドオーバに関する動作を実行する。【００４３】
Ｎｅｉｇｈｂｏｒ情報テーブル５２は、無線基地局ＳＢＳが送信した、隣接無線基地局ＢＳの情報を保持する。【００４４】
登録処理部５３は、当該端末ＭＳが無線基地局ＳＢＳへ接続するための登録手順を実行するとともに、端末ＭＳが無線基地局ＳＢＳから電波を受信できなくなった場合に無線基地局ＳＢＳとの接続の切断を検出する。【００４５】
ｒｅｏｃｏｍｍｅｎｄ  ＢＳリスト５４は、無線基地局ＳＢＳからハンドオーバを指示された接続先の無線基地局ＴＢＳ候補（Ｄｉｓｔａｎｔ  Ｎｅｉｇｈｂｏｒ無線基地局ＢＳの他に隣接無線基地局ＢＳを含めることができるが、Ｄｉｓｔａｎｔ  Ｎｅｉｇｈｂｏｒ無線基地局ＢＳだけとすることもできる）の情報が登録される。【００４６】
このように構成された無線通信システムでは、以下のように動作する。【００４７】
無線基地局ＳＢＳのＤｉｓｔａｎｔ  Ｎｅｉｇｈｂｏｒ登録処理部１１は、管理者等による外部からの入力により、Ｄｉｓｔａｎｔ  Ｎｅｉｇｈｂｏｒ無線基地局ＢＳの情報の登録を受け付ける。このとき、Ｄｉｓｔａｎｔ  Ｎｅｉｇｈｂｏｒ登録処理部１１は、Ｄｉｓｔａｎｔ  Ｎｅｉｇｈｂｏｒ無線基地局ＢＳからバックボーンネットワーク１００を介してチャネル情報（ＤＣＤ及びＵＣＤの各メッセージに含まれる情報）を取得し、Ｄｉｓｔａｎｔ  Ｎｅｉｇｈｂｏｒ情報テーブル１２に記憶する。【００４８】
端末ＭＳが無線基地局ＳＢＳへの接続を要求すると、登録処理部１３は登録手順を実行する。登録が完了すると、登録処理部１３は登録終了をＢＳＨＯ処理部１４へ通知する。【００４９】
ＢＳＨＯ処理部１４は、Ｄｉｓｔａｎｔ  Ｎｅｉｇｈｂｏｒ情報テーブル１２内にＤｉｓｔａｎｔ  Ｎｅｉｇｈｂｏｒ無線基地局ＢＳのチャネル情報が記憶されているとき、定期的に送信される広告メッセージ（従来技術で説明したＭＯＢ＿ＮＢＲ−ＡＤＶメッセージ）に、隣接無線基地局ＢＳとＤｉｓｔａｎｔ  Ｎｅｉｇｈｂｏｒ無線基地局ＢＳの夫々のチャネル情報を挿入して、ブロードキャストで送信する。端末ＭＳはこの広告メッセージをＭＳＨＯ処理部５１で受信する。【００５０】
また、ＢＳＨＯ処理部１４は、接続先の無線基地局ＴＢＳ（Ｄｉｓｔａｎｔ  Ｎｅｉｇｈｂｏｒ無線基地局ＢＳ）に対して、端末ＭＳのコンテキストを送信すると共に、端末ＭＳに対して、Ｄｉｓｔａｎｔ  Ｎｅｉｇｈｂｏｒ無線基地局ＢＳを接続先の無線基地局ＴＢＳとするハンドオーバを指示する。【００５１】
次いで、端末ＭＳのＭＳＨＯ処理部５１は、受信した広告メッセージに含まれる、隣接無線基地局ＢＳとＤｉｓｔａｎｔ  Ｎｅｉｇｈｂｏｒ無線基地局ＢＳの夫々のチャネル情報をＮｅｉｇｈｂｏｒ情報テーブル５２に記憶させる。また、ＭＳＨＯ処理部５１は、必要に応じ、広告メッセージに含まれる隣接無線基地局ＢＳ（Ｄｉｓｔａｎｔ  Ｎｅｉｇｈｂｏｒ無線基地局ＢＳも含む）の電波強度を調べる。【００５２】
更に、ＭＳＨＯ処理部５１は無線基地局ＳＢＳからのハンドオーバの指示を受け付け、その指示に含まれるハンドオーバ先（接続先）の無線基地局ＢＳ、即ち、Ｄｉｓｔａｎｔ  Ｎｅｉｇｈｂｏｒ無線基地局ＢＳの電波強度を調べる。ＭＳＨＯ処理部５１は、ハンドオーバ先の無線基地局ＢＳの電波を見つけることができないとき（例えば、端末ＭＳがＤｉｓｔａｎｔ  Ｎｅｉｇｈｂｏｒ無線基地局ＢＳのサービスエリア外にいるとき）、ハンドオーバの実行を保留し、ｒｅｃｏｍｍｅｎｄ  ＢＳリスト５４にハンドオーバ先の無線基地局ＢＳ（Ｄｉｓｔａｎｔ  Ｎｅｉｇｈｂｏｒ無線基地局ＢＳ）の情報を記憶する。【００５３】
尚、Ｄｉｓｔａｎｔ  Ｎｅｉｇｈｂｏｒ無線基地局ＢＳの電波が検出され、ハンドオーバ可能と判断すると端末ＭＳは当該無線基地局ＢＳに対して登録手順を実行する。即ち、ハンドオーバ処理を実行する。【００５４】
次いで、端末ＭＳの登録処理部５３は、無線基地局ＳＢＳとの接続の切断を検出する（Ｄｒｏｐを検出する）と、ＭＳＨＯ処理部５１に通知する。そして、ＭＳＨＯ処理部５１は、まず最初にｒｅｃｏｍｍｅｎｄ  ＢＳリスト５４に記憶されたＤｉｓｔａｎｔ  Ｎｅｉｇｈｂｏｒ無線基地局ＢＳへの再接続を一定時間試みる。【００５５】
端末ＭＳが移動して、トンネルを抜けて、ハンドオーバ先の無線基地局ＴＢＳのサービスエリアに移動すると、端末ＭＳはＤｉｓｔａｎｔ  Ｎｅｉｇｈｂｏｒ無線基地局ＢＳ（ハンドオーバ先の無線基地局ＢＳ）からの電波を受信できる可能性が高いからである。ＭＳＨＯ処理部５１は、ｒｅｃｏｍｍｅｎｄ  ＢＳリスト５４に記憶されたＤｉｓｔａｎｔ  Ｎｅｉｇｈｂｏｒ無線基地局ＢＳの電波を受信すると、当該無線基地局ＢＳに対して登録手順を実行する。このとき、無線基地局ＴＢＳに送信されるメッセージには、接続元（ハンドオーバ元）の無線基地局ＳＢＳの識別子も含めて送信する。【００５６】
Ｄｉｓｔａｎｔ  Ｎｅｉｇｈｂｏｒ無線基地局ＢＳである無線基地局ＴＢＳは、端末ＭＳから登録要求を受け付けると、接続元の無線基地局ＳＢＳから送信されたコンテキストをコンテキストバッファ１５から読み出し、省略可能な登録手順を省きながら登録手続きを完了する。【００５７】
このように、端末ＭＳでは、無線基地局ＳＢＳから広告メッセージを受信するが、この広告メッセージには、Ｄｉｓｔａｎｔ  Ｎｅｉｇｈｂｏｒ無線基地局ＢＳのＤＣＤ及びＵＣＤの各メッセージの情報が含まれている。従って、端末ＭＳは接続先のＤｉｓｔａｎｔ  Ｎｅｉｇｈｂｏｒ無線基地局ＢＳとの間で、ＤＣＤ及びＵＣＤの各メッセージを交換する必要がなくなり、ＤＣＤ及びＵＣＤの各メッセージを受信するまでの時間を待つ必要がない。よって、再接続処理の時間を短縮できる。【００５８】
また、端末ＭＳは、無線基地局ＳＢＳからＤｉｓｔａｎｔ  Ｎｅｉｇｈｂｏｒ無線基地局ＢＳを指示するハンドオーバ指示を受けるため、この指示されたＤｉｓｔａｎｔ  Ｎｅｉｇｈｂｏｒ無線基地局ＢＳについて電波強度を調べれば（スキャンすれば）よい。従って、端末ＭＳは、全無線基地局ＢＳを対象とする全周波数をスキャンする必要がなく、再接続の処理時間を短縮できる。【００５９】
尚、Ｄｉｓｔａｎｔ  Ｎｅｉｇｈｂｏｒ無線基地局ＢＳが検出できない場合は、端末ＭＳは、MOB_NBR-ADVに挙げられた他の隣接無線基地局の電波の検出を試み、その検出した無線基地局への登録処理を実行することもできる。【００６０】
更に、接続元の無線基地局ＳＢＳは、端末ＭＳに対してハンドオーバ先の無線基地局ＴＢＳへのハンドオーバを指示する際、端末ＭＳのコンテキストをハンドオーバ先の無線基地局ＴＢＳに送信する。従って、無線基地局ＴＢＳは端末ＭＳが登録手順を開始した後に端末ＭＳのコンテキストを取得する必要がないので登録手順をより高速化できる。【００６１】
次に、他の例について説明する。図２は、無線通信システムにおける他の例を示す図である。【００６２】
図１と略同様であるが、接続元の無線基地局ＳＢＳにおいてＤｉｓｔａｎｔ  Ｎｅｉｇｈｂｏｒ検出部１６を備えることを特徴としている。図１の例では、Ｄｉｓｔａｎｔ  Ｎｅｉｇｈｂｏｒ無線基地局ＢＳの情報は、Ｄｉｓｔａｎｔ  Ｎｅｉｇｈｂｏｒ登録処理部１１により外部から（管理者により）入力するものとして説明した。本例ではＤｉｓｔａｎｔ  Ｎｅｉｇｈｂｏｒ検出部１６により、動的に（自動的に）Ｄｉｓｔａｎｔ  Ｎｅｉｇｈｂｏｒ無線基地局ＢＳを検出する。【００６３】
動作は以下のようになる。即ち、無線基地局ＳＢＳの登録処理部１３は、定期的なメッセージの交換（Ｋｅｅｐ  Ａｌｉｖｅ：Ｐｅｒｉｏｄｉｃ  Ｒａｎｇｉｎｇメッセージなど）が途切れることにより、配下の端末ＭＳがトンネル等に入り電波が届かない状態になったことを検出する。そして、登録処理部１３はＤｉｓｔａｎｔ  Ｎｅｉｇｈｂｏｒ検出部１６にその旨を通知する。【００６４】
一方、一定時間後、端末ＭＳがトンネル等を抜け、いずれかのＤｉｓｔａｎｔ  Ｎｅｉｇｈｂｏｒ無線基地局ＢＳを接続先の無線基地局ＴＢＳとして登録手順を行う。Ｄｉｓｔａｎｔ  Ｎｅｉｇｈｂｏｒ無線基地局ＢＳは、接続元の無線基地局ＳＢＳに対して、端末ＭＳのコンテキストの取得を要求する。無線基地局ＳＢＳのＢＳＨＯ処理部１４は、Ｄｉｓｔａｎｔ  Ｎｅｉｇｈｂｏｒ検出部１６にコンテキストの取得要求があった旨を通知する。【００６５】
Ｄｉｓｔａｎｔ  Ｎｅｉｇｈｂｏｒ検出部１６は、Ｄｉｓｔａｎｔ  Ｎｅｉｇｈｂｏｒ無線基地局ＢＳに端末ＭＳがハンドオーバしたことを検出すると、当該無線基地局ＢＳをＤｉｓｔａｎｔ  Ｎｅｉｇｈｂｏｒ無線基地局ＢＳとしてＤｉｓｔａｎｔ  Ｎｅｉｇｈｂｏｒ情報テーブル１２に登録する。【００６６】
Ｄｉｓｔａｎｔ  Ｎｅｉｇｈｂｏｒ無線基地局ＢＳをＤｉｓｔａｎｔ  Ｎｅｉｇｈｂｏｒ情報テーブル１２に登録した後の動作は図１の例と同様である。【００６７】
このように、本例では、Ｄｉｓｔａｎｔ  Ｎｅｉｇｈｂｏｒ無線基地局ＢＳをＤｉｓｔａｎｔ  Ｎｅｉｇｈｂｏｒ情報テーブル１２に登録する際に自動的に登録されるため、管理者を煩わせることなく簡易にＤｉｓｔａｎｔ  Ｎｅｉｇｈｂｏｒ無線基地局ＢＳを登録できる。【００６８】
登録した、Ｄｉｓｔａｎｔ  Ｎｅｉｇｈｂｏｒ無線基地局ＢＳ情報は、先の実施例で記載した用途で用いることができる。
【実施例２】
【００６９】
次に実施例２について、図３乃至図７を参照しながら説明する。  【００７０】
図３は、実施例２を説明するためのネットワーク構成例を示す図である。同図において、六角形は一つの無線基地局ＢＳの電波の届く範囲（セル）を示し、中心に無線基地局ＢＳが配置される。各無線基地局ＢＳは他と識別するための識別子を有する。【００７１】
端末ＭＳが無線基地局ＢＳ＃５のセル範囲に位置するとき、無線基地局ＢＳ＃５に物理的に隣接していない無線基地局であるＤｉｓｔａｎｔ  Ｎｅｉｇｈｂｏｒ無線基地局ＢＳは、無線基地局ＢＳ−Ｘ，ＢＳ−Ｙであり、隣接無線基地局ＢＳは、無線基地局ＢＳ＃１〜ＢＳ＃４である。【００７２】
一般に、セルは人の居ない地域や地理的に配置できない場所等を除き隙間がないように配置される。図３の例では、無線基地局ＢＳ＃５と無線基地局＃Ｙの間には高い山が存在し無線基地局ＢＳを配置できないものとする。この間が電波不達領域となる。電波不達領域において端末ＭＳは無線基地局ＢＳ＃５、ＢＳ−Ｙとの通信が途切れる。端末ＭＳはトンネルを抜けると無線基地局ＢＳ−Ｙのセルに入り、無線基地局ＢＳ−Ｙとの間で再接続の処理を行う。本実施例１では、この再接続処理の高速化について説明する。尚、各無線基地局ＢＳ＃１〜ＢＳ＃５、ＢＳ−Ｘ、ＢＳ−Ｙの構成は同一である。【００７３】
図４は、無線基地局ＢＳの構成例を示す図である。無線基地局ＢＳは、メッセージ送受信処理部２０と、ネットワークエントリ処理部２１と、スキャンレポート処理部２２と、Ｎｅｉｇｈｂｏｒ  ＢＳ情報生成処理部２３と、ＢＳ  Ｉｎｉｔｉａｔｅｄ  ＨＯ判定部（以下、ＢＳＨＯ判定部）２４と、バックボーン送受信部２５と、ＨＯ要求処理部２６と、コンテキストバッファ２７と、Ｄｉｓｔａｎｔ  Ｎｅｉｇｈｂｏｒ  ＢＳ登録処理部１１と、Ｄｉｓｔａｎｔ  Ｎｅｉｇｈｂｏｒ  ＢＳリストを保持したテーブル（以下、Ｄｉｓｔａｎｔ  Ｎｅｉｇｈｂｏｒ  ＢＳリスト）Ｌ１と、Ｎｅｉｇｈｂｏｒ  ＢＳリストを保持したテーブル（以下、Ｎｅｉｇｈｂｏｒ  ＢＳリスト）Ｌ２と、Ｒｅｃｏｍｍｅｎｄ  ＢＳリストを保持したテーブル（以下、Ｒｅｃｏｍｍｅｎｄ  ＢＳリスト）Ｌ３を備える。図４において、図１で対応する構成部にはかっこ書き等で同一符号を付している。【００７４】
メッセージ送受信処理部２０は、端末ＭＳに送信する各種メッセージを電波に変換して端末ＭＳに送信するとともに、端末ＭＳからの電波を受信して各種メッセージを取り出す。【００７５】
ネットワークエントリ処理部２１は、端末ＭＳとの間で登録手順を実行する処理部であり、端末ＭＳとの間で制御メッセージを交換するため、制御メッセージを生成してメッセージ送受信処理部２０に出力したり、端末ＭＳからの制御メッセージがメッセージ送受信処理部２０から入力される。また、ネットワークエントリ処理部２１は、端末ＭＳとの間で登録手順を終了すると、終了した旨をＢＳＨＯ判定部２４に通知する。【００７６】
スキャンレポート処理部２２は、端末ＭＳで測定した隣接無線基地局ＢＳやＤｉｓｔａｎｔ  Ｎｅｉｇｈｂｏｒ無線基地局ＢＳの電波強度の報告メッセージ（以下、ＳＣＮ−ＲＥＰＯＲＴメッセージ）を受信し、Ｎｅｉｇｈｂｏｒ  ＢＳリストＬ２に、そのメッセージに含まれる各無線基地局ＢＳの電波強度の結果を記録する。【００７７】
Ｎｅｉｇｈｂｏｒ  ＢＳ情報生成処理部２３は、端末ＭＳが移動したときの接続先（ハンドオーバ）の候補となる無線基地局ＢＳのエアチャンネル上のフレーム送受信偏重方法に関する情報（チャネル情報（ＤＣＤ及びＵＣＤの各メッセージに含まれる情報））を含む広告メッセージを生成する。広告メッセージには、Ｄｉｓｔａｎｔ  Ｎｅｉｇｈｂｏｒ無線基地局ＢＳと隣接無線基地局ＢＳの双方のチャネル情報を含む。【００７８】
ＢＳＨＯ判定部２４は、ネットワークエントリ処理部２１から端末ＭＳの登録手順の終了が通知されると、Ｄｉｓｔａｎｔ  Ｎｅｉｇｈｂｏｒ  ＢＳリストＬ１を参照し、Ｄｉｓｔａｎｔ  Ｎｅｉｇｈｂｏｒ  ＢＳリストＬ１にＤｉｓｔａｎｔ  Ｎｅｉｇｈｂｏｒ無線基地局ＢＳの情報が登録されている場合、登録されているＤｉｓｔａｎｔ  Ｎｅｉｇｈｂｏｒ  ＢＳをハンドオーバ候補であるＲｅｃｏｍｍｅｎｄ  ＢＳとして当該情報をＲｅｃｏｍｍｅｎｄ  ＢＳリストＬ３に登録する。ＢＳＨＯ判定部２４はＨＯ要求処理部２６によりＲｅｃｏｍｍｅｎｄ  ＢＳに端末ＭＳのコンテキストを送信するように指示し、コンテキストの配布が完了すると、ＢＳＨＯ判定部２４は、リストＬ３に登録された無線基地局ＢＳをハンドオーバ先とするハンドオーバメッセージ（以下、ＢＳＨＯ−ＲＥＱメッセージ）を生成する。尚、リストＬ１とリストＬ２を同じリストとすることもできる。【００７９】
バックボーン送受信部２５は、他の無線基地局ＢＳとバックボーンネットワーク１００を介してメッセージ等を送受信するための機能ブロックである。端末ＭＳのコンテキストの送受信がこのバックボーン送受信部２５で行われる。【００８０】
ＨＯ要求処理部２６は、ＢＳＨＯ判定部２４の指示によりＲｅｃｏｍｍｎｅｄ  ＢＳに端末ＭＳのコンテキストを送信する一方、バックボーン送受信部２５で端末ＭＳのコンテキストを受信した場合は、コンテキストバッファ２７に登録する。【００８１】
Ｄｉｓｔａｎｔ  Ｎｅｉｇｈｂｏｒ  ＢＳ登録処理部１１は、先に説明したＤｉｓｔａｎｔ  Ｎｅｉｇｈｂｏｒ登録処理部１１に対応し、例えば、管理者による隣接しない無線基地局ＢＳの情報の登録を受け付け、当該無線基地局ＢＳからチャネル情報（ＤＣＤ及びＵＣＤの各メッセージに含まれる情報）を取得し、Ｄｉｓｔａｎｔ  Ｎｅｉｇｈｂｏｒ  ＢＳリストＬ１に記憶する。【００８２】
Ｄｉｓｔａｎｔ  Ｎｅｉｇｈｂｏｒ  ＢＳリストＬ１は、Ｄｉｓｔａｎｔ  Ｎｅｉｇｈｂｏｒ無線基地局ＢＳの識別子とともにチャネル情報が登録される。例えば、基地局ＢＳの管理者により登録される。図７（Ａ）にＤｉｓｔａｎｔ  Ｎｅｉｇｈｂｏｒ  ＢＳリストＬ１の例を示す。【００８３】
Ｎｅｉｇｈｂｏｒ  ＢＳリストＬ２には、隣接無線基地局ＢＳのチャネル情報が登録される。同様に、例えば、基地局ＢＳの管理者により登録される。図７（Ｂ）にＮｅｉｇｈｂｏｒ  ＢＳリストＬ２の例を示す。【００８４】
Ｒｅｃｏｍｍｅｎｄ  ＢＳリストＬ３には、端末ＭＳのハンドオーバ先の無線基地局ＢＳの情報が登録される。尚、ここでハンドオーバ先とされる無線基地局は、隣接しない無線基地局であるＤｉｓｔａｎｔ  Ｎｅｉｇｈｂｏｒ  ＢＳである。かかる情報は、ＢＳＨＯ判定部２４により登録される。図７（Ｃ）にＲｅｃｏｍｍｅｎｄ  ＢＳリストＬ３の例を示す。【００８５】
コンテキストバッファ２７は、端末ＭＳのコンテキストが登録されたバッファであり、ネットワークエントリ処理部２１又はＨＯ要求処理部２６により記憶、或は読み出しが行われる。【００８６】
次に端末ＭＳの構成について説明する。図５は、端末ＭＳの構成例を示す図である。【００８７】
端末ＭＳは、メッセージ送受信処理部６１と、ネットワークエントリ処理部６２と、物理層処理部６３と、ＭＳＨＯ処理部５１とを備える。【００８８】
ＭＳＨＯ処理部５１は、更に、ＢＳＨＯ−ＲＥＱ受信処理部５１１と、ＮＢＲ−ＡＤＶ受信処理部５１２と、スキャン処理部５１３と、ＨＯ判定部５１４と、Ｎｅｉｇｈｂｏｒ情報テーブル５２と、Ｒｅｃｏｍｍｅｎｄ  ＢＳリストＬ４を備える。図２で示した構成図と対応する構成部にはかっこ書き等で同一の符号を付している。【００８９】
メッセージ送受信処理部６１は、無線基地局ＢＳからの電波をメッセージに変換したり、無線基地局ＢＳへのメッセージを電波に変換する。【００９０】
ネットワークエントリ処理部６２は、無線基地局ＢＳに対して登録手順の処理を実行する。また、ネットワークエントリ処理部６２は、登録手順終了後も無線基地局ＢＳと定期的にメッセージ（Ｐｅｒｉｏｄｉｃ  Ｒａｎｇｉｎｇメッセージ等）を交換するための処理を行い、無線基地局ＢＳの接続の確認（上述した「Ｋｅｅｐ  Ａｌｉｖｅ」）を行う。【００９１】
ネットワークエントリ処理部６２は、Ｄｒｏｐ検出部５５を有し、一定時間Ｋｅｅｐ  Ａｌｉｖｅが確認できない場合、端末ＭＳは無線基地局ＢＳの電波を受信できずに通信の切断を検出し、同期が当該無線基地局ＢＳとはずれたことを示すＤｒｏｐ検出をＭＳＨＯ処理部５１に通知する。【００９２】
ＭＳＨＯ処理部５１のＢＳＨＯ−ＲＥＱ受信処理部５１１は、無線基地局ＢＳから受信したＢＳＨＯ−ＲＥＱメッセージを受信し、当該メッセージに含まれるハンドオーバ候補の無線基地局ＢＳ（Ｄｉｓｔａｎｔ  Ｎｅｉｇｈｂｏｒ無線基地局ＢＳ）をＲｅｃｏｍｍｅｎｄ  ＢＳリストＬ４に登録する。【００９３】
ＮＢＲ−ＡＤＶ受信処理部５１２は、無線基地局ＢＳから受信した広告メッセージ（ＮｅｉｇｈｂｏｒＢＳ情報広告メッセージ）に含まれる無線基地局ＢＳのチャネル情報をＮｅｉｇｈｂｏｒ情報テーブル５２に登録する。広告メッセージには、隣接無線基地局ＢＳのチャネル情報とＤｉｓｔａｎｔ  Ｎｅｉｇｈｂｏｒ無線基地局ＢＳのチャネル情報も含まれるため、Ｎｉｅｇｈｂｏｒ情報テーブル５２にはこれら無線基地局ＢＳの識別子とともにチャネル情報が登録される。【００９４】
スキャン処理部５１３は、Ｎｅｉｇｈｂｏｒ情報テーブル５２に登録された隣接無線基地局ＢＳ及びＤｉｓｔａｎｔ  Ｎｅｉｇｈｂｏｒ無線基地局ＢＳに対して、電波強度を測定するための指示を物理層処理部６３に出力する。物理層処理部６３では、これら無線基地局ＢＳの電波強度を測定し、その結果（ＳＣＡＮ結果）をスキャン処理部５１３に報告する。スキャン処理部５１３は、測定した電波強度をＳＣＮ−ＲＥＰＯＲＴメッセージに挿入して現在接続中の無線基地局ＢＳ（接続元の無線基地局ＳＢＳ）に送信するとともに、Ｎｅｉｇｈｂｏｒ情報テーブル５２にその測定した電波強度を登録する（スキャン結果を登録する）。【００９５】
ＨＯ判定部５１４は、ＢＳＨＯ−ＲＥＱ受信処理部５１１からＢＳＨＯ−ＲＥＱメッセージの受信通知を受けると、Ｎｅｉｇｈｂｏｒ情報テーブル５２に登録された各隣接無線基地局ＢＳのスキャン結果を参照し電波強度が閾値よりも低い場合はハンドオーバの実行を保留する。そして、ＨＯ判定部５１４は、保留状態でネットワークエントリ処理部６２からＤｒｏｐ検出が通知されると、Ｒｅｃｏｍｍｅｎｄ  ＢＳリストＬ４に登録されたＤｉｓｔａｎｔ  Ｎｅｉｇｈｂｏｒ無線基地局ＢＳに対する電波強度の測定を物理層処理部６３に指示する。尚、測定済みである場合は、その登録済みの測定結果を用いることもできる。【００９６】
端末ＭＳがトンネル内等の電波不達領域に位置するとき、Ｄｉｓｔａｎｔ  Ｎｅｉｇｈｂｏｒ無線基地局ＢＳの電波強度を測定してもその強度は低い状態のままで、当該無線基地局ＢＳに対応する周波数に対して同期できない。しかし、端末ＭＳがトンネル等の電波不達領域を抜けＤｉｓｔａｎｔ  Ｎｅｉｇｈｂｏｒ無線基地局ＢＳのセル範囲に移動すると、Ｄｉｓｔａｎｔ  Ｎｅｉｇｈｂｏｒ無線基地局ＢＳの周波数に同期できる。【００９７】
ＨＯ判定部５１４は、Ｄｉｓｔａｎｔ  Ｎｅｉｇｈｂｏｒ無線基地局ＢＳの周波数に同期できた場合、ネットワークエントリ処理部６２に対して当該無線基地局ＢＳ（接続先無線基地局ＴＢＳ）の登録手順の実行を指示する。【００９８】
Ｎｅｉｇｈｂｏｒ情報テーブル５２は、ＮＢＲ−ＡＤＶ受信処理部５１２で受信した広告メッセージに含まれる、隣接無線基地局ＢＳ及びＤｉｓｔａｎｔ  Ｎｅｉｇｈｂｏｒ無線基地局ＢＳのチャネル情報を保持する。当該テーブル５２は、隣接無線基地局ＢＳとＤｉｓｔａｎｔ  Ｎｅｉｇｈｂｏｒ無線基地局ＢＳの各無線基地局の識別子、チャネル情報、スキャン結果とが対応して登録される。【００９９】
Ｒｅｃｏｍｍｅｎｄ  ＢＳリストＬ４は、ＢＳＨＯ−ＲＥＱ受信処理部５１１が無線基地局ＢＳから受信したＢＳＨＯ−ＲＥＱメッセージに含まれるハンドオーバ先の無線基地局ＢＳ（Ｄｉｓｔａｎｔ  Ｎｅｉｇｈｂｏｒ無線基地局ＢＳ）を保持する。【０１００】
このように構成された無線基地局ＢＳと端末ＭＳからなる無線通信システムの動作について以下説明する。図６は処理動作の例を示すシーケンス図である。【０１０１】
尚、この例では、無線基地局ＢＳ＃２から無線基地局ＢＳ＃５の配下に移動した端末ＭＳが、無線基地局ＢＳ−Ｙにハンドオーバする動作を説明する。【０１０２】
まず、無線基地局ＢＳの管理者は、当該無線基地局ＢＳの電波到達範囲であるセルがトンネルや山間部等に接し、配下の端末ＭＳがその方向に移動するとハンドオーバできないと予想される場合に、かかるトンネル等を抜けて再度接続のための登録手順を実行できると予想される無線基地局ＢＳを、Ｄｉｓｔａｎｔ  Ｎｅｉｇｈｂｏｒ無線基地局ＢＳとしてＤｉｓｔａｎｔ  Ｎｅｉｇｈｂｏｒ  ＢＳリストＬ１に登録する（Ｓ１１）。【０１０３】
Ｄｉｓｔａｎｔ  Ｎｅｉｇｈｂｏｒ  ＢＳ登録処理部１１は、Ｄｉｓｔａｎｔ  Ｎｅｉｇｈｂｏｒ無線基地局ＢＳをＤｉｓｔａｎｔ  Ｎｅｉｇｈｂｏｒ  ＢＳリストＬ１に登録すると、Ｄｉｓｔａｎｔ  Ｎｅｉｇｈｂｏｒ無線基地局ＢＳのチャネル情報を、Ｄｉｓｔａｎｔ  Ｎｅｉｇｈｂｏｒ無線基地局ＢＳから取得する。図３の例では、現在無線基地局ＢＳ＃５のセルに端末ＭＳが位置しているとき、Ｄｉｓｔａｎｔ  Ｎｅｉｇｈｂｏｒ無線基地局ＢＳ−Ｘ、ＢＳ−Ｙの各情報をリストＬ１に登録する（図７（Ａ）参照）。【０１０４】
同様に、無線基地局ＢＳの管理者は、Ｎｅｉｇｈｂｏｒ  ＢＳリストＬ２に、当該無線基地局ＢＳのセル範囲に隣接したセル範囲を有する隣接無線基地局ＢＳの情報を登録する（図７（Ｂ）参照）。【０１０５】
さて、端末ＭＳが無線基地局ＢＳ＃２から無線基地局ＢＳ＃５にハンドオーバすると、端末ＭＳは、無線基地局ＢＳ＃５に対して登録手順を実行する（Ｓ１）。上述したように、（１）Ｉｎｉｔｉａｌ  Ｒａｎｇｉｎｇ、（２）Ｂａｓｉｃ  ｃａｐａｂｉｌｉｔｙ交換、（３）認証、（４）レジストレーション、の各手順をメッセージの交換により実行する（図中、「Ｎｅｔｗｏｒｋ  Ｅｎｔｒｙ」）。このとき、無線基地局ＢＳ＃５は、無線基地局ＢＳ＃２から端末ＭＳのコンテキスト（登録手順で交換されるメッセージに含まれる情報）を受信できた場合、受信した情報により登録手順のいくつかを省略できる。【０１０６】
無線基地局ＢＳ＃５（この無線基地局ＢＳ＃５を接続元の無線基地局ＳＢＳとする）では、この登録手順を、ネットワークエントリ処理部２１で実行する。ネットワークエントリ処理部２１は、端末ＭＳと登録手順を実行して正常終了するとその旨をＢＳＨＯ判定部２４に通知する。【０１０７】
次いで、無線基地局ＢＳ＃５のＮｅｉｇｈｂｏｒ  ＢＳ情報生成処理部２３は、Ｄｉｓｔａｎｔ  Ｎｅｉｇｈｂｏｒ  ＢＳリストＬ１及びＮｅｉｇｈｂｏｒ  ＢＳリストＬ２に登録された無線基地局ＢＳ（本例では、隣接無線基地局ＢＳ＃１〜ＢＳ＃４と、隣接しない無線基地局ＢＳ−Ｘ，ＢＳ−Ｙ）のチャネル情報を、広告メッセージ（ＭＯＢ＿ＮＢＲ−ＡＤＶメッセージ）に挿入して定期的に端末ＭＳに送信する（Ｓ１２）。【０１０８】
このように、本実施例では、無線基地局ＢＳが定期的に送信する広告メッセージに、ハンドオーバ先の候補でもあるＤｉｓｔａｎｔ  Ｎｅｉｇｈｂｏｒ無線基地局ＢＳ（無線基地局ＢＳ−Ｘ、ＢＳ−Ｙ）のチャネル情報を挿入して端末ＭＳに送信しているため、端末ＭＳではＤｉｓｔａｎｔ  Ｎｅｉｇｈｂｏｒ無線基地局ＢＳと再接続したときにＤＣＤ及びＵＣＤメッセージの取得のための待ち時間がなくなり、再接続処理の時間を早くすることができる。【０１０９】
次いで、端末ＭＳのＮＢＲ−ＡＤＶ受信処理部５１２は、広告メッセージを受信すると、広告メッセージに含まれる無線基地局ＢＳのチャネル情報を取り出して、Ｎｅｉｇｈｂｏｒ情報テーブル５２に登録する。そして、スキャン処理部５１３は、Ｎｅｉｇｈｂｏｒ情報テーブル５２に登録された無線基地局ＢＳ（隣接無線基地局ＢＳ＃１〜ＢＳ＃４、Ｄｉｓｔａｎｔ  Ｎｅｉｇｈｂｏｒ無線基地局ＢＳ−Ｘ，ＢＳ−Ｙ）についてスキャンを実施し、電波強度の測定結果を当該テーブル５２に登録する（Ｓ２）。【０１１０】
次いで、無線基地局ＢＳ＃５のＢＳＨＯ判定部２４は、ネットワークエントリ処理部２１から登録手順の正常終了の通知を受けた後、広告メッセージが送信されたことをＮｅｉｇｈｂｏｒ  ＢＳ情報生成処理部２３から通知されると、Ｒｅｃｏｍｍｅｎｄ  ＢＳリストＬ３を作成する（Ｓ１３）。当該リストＬ３は、ＢＳＨＯ判定部２４がＤｉｓｔａｎｔ  Ｎｅｉｇｈｂｏｒ  ＢＳリストＬ１に登録された無線基地局ＢＳの識別子を読み出して、Ｒｅｃｏｍｍｅｎｄ  ＢＳリストＬ３に登録することで作成される。本例では、Ｒｅｃｏｍｍｅｎｄ  ＢＳリストＬ３には、無線基地局ＢＳ−Ｘ，ＢＳ−Ｙの情報が登録される（図７（Ｃ）参照）。尚、先に説明したように、Ｌ１とＬ３を共用することができ、その場合Ｌ３の別途の登録は不要である。【０１１１】
次いで、ＢＳＨＯ判定部２４はＲｅｃｏｍｍｅｎｄ  ＢＳリストＬ３に登録された無線基地局ＢＳに、端末ＭＳのコンテキストを送信する（Ｓ１４）。無線基地局ＢＳ−Ｘ，ＢＳ−Ｙに端末ＭＳのコンテキストが送信される。【０１１２】
無線基地局ＢＳ−Ｘ，ＢＳ−ＹのＨＯ要求処理部２６は、無線基地局ＢＳ＃５からのコンテキストをコンテキストバッファ２７に登録する（Ｓ２１）。このように、端末ＭＳのハンドオーバ先の候補である無線基地局ＢＳ−Ｘ，ＢＳ−Ｙでは、端末ＭＳのコンテキストを端末ＭＳからのレンジングメッセージの受信を待たずに取得できるため、従来技術と比較して、端末ＭＳのコンテキストの取得を早めることができる。【０１１３】
次いで、無線基地局ＢＳ＃５のＢＳＨＯ判定部２４は、端末ＭＳのコンテキストの送信が終了すると、端末ＭＳに対してＢＳＨＯ−ＲＥＱメッセージ（ＭＯＢ＿ＢＳＨＯ−ＲＥＱメッセージ）を送信する（Ｓ１５）。このＢＳＨＯ−ＲＥＱメッセージにより端末ＭＳに対してハンドオーバが指示される。上述したように、このメッセージにはＲｅｃｏｍｍｅｎｄ無線基地局リストに登録された無線基地局ＢＳ（本例ではＤｉｓｔａｎｔ  Ｎｅｉｇｈｂｏｒ無線基地局ＢＳ−Ｘ，ＢＳ−Ｙ）の識別子が含まれる。【０１１４】
このように本実施例では、無線基地局ＢＳ＃５が端末ＭＳと登録手順が終了して、広告メッセージを送信し、Ｄｉｓｔａｎｔ  Ｎｅｉｇｈｂｏｒ無線基地局ＢＳに端末ＭＳのコンテキストを送信すると、すぐにハンドオーバの指示を端末ＭＳに送信している。【０１１５】
次いで、端末ＭＳのＢＳＨＯ−ＲＥＱ受信処理部５１１は、無線基地局ＢＳ＃５からＢＳＨＯ−ＲＥＱメッセージを受信すると、当該メッセージに含まれる無線基地局ＢＳ−Ｘ，ＢＳ−Ｙの識別子を、Ｒｅｃｏｍｍｅｎｄ  ＢＳリストＬ４に登録する（図７（Ｄ）参照）。また、ＢＳＨＯ−ＲＥＱ受信処理部５１１は、ＢＳＨＯ−ＲＥＱメッセージを受信すると、ＨＯ判定部５１４に無線基地局ＢＳ＃５からのハンドオーバ要求を通知する。【０１１６】
次いで、ＨＯ判定部５１４は、ＢＳＨＯ−ＲＥＱ受信処理部５１１からハンドオーバ要求の通知を受けると、Ｒｅｃｏｍｍｅｎｄ  ＢＳリストＬ４に登録された無線基地局ＢＳ−Ｘ，ＢＳ−Ｙに対する電波強度を、Ｎｅｉｇｈｂｏｒ情報テーブル５２を参照して調べる。ＨＯ判定部５１４は、調べた電波強度（Ｄｉｓｔａｎｔ  Ｎｅｉｇｈｂｏｒ無線基地局ＢＳからの受信電波強度）が通信を行うのに必要な電波強度である閾値以下であるとき、無線基地局ＢＳ＃５からのハンドオーバの実行を保留する（Ｓ３）。例えば、端末ＭＳが無線基地局ＢＳ＃５のセル範囲内のときは、無線基地局ＢＳ−Ｘ，ＢＳ−Ｙの電波強度は閾値以下となる。【０１１７】
尚、閾値を上回るＤｉｓｔａｎｔ  Ｎｅｉｇｈｂｏｒ無線基地局ＢＳからの受信電波強度を検出した場合は、その無線基地局ＢＳに対してハンドオーバ処理を行うべく、端末ＭＳは、登録処理を行う。【０１１８】
次に、端末ＭＳが、無線基地局ＢＳ＃５と無線基地局ＢＳ−Ｙの間のトンネルに入った場合を想定する。このとき、端末ＭＳのネットワークエントリ処理部６２は無線基地局ＢＳ＃５からの定期メッセージ（ＤＣＤメッセージや、Ｐｅｒｉｏｄｉｃ  Ｒａｎｇｉｎｇの帯域割付など）が一定時間以上受信できなくなり、無線基地局ＢＳ＃５からの電波を受信できないとしてＨＯ判定部５１４にＤｒｏｐ検出を通知する（Ｓ４）。【０１１９】
ＨＯ判定部５１４は、ネットワークエントリ処理部６２からＤｒｏｐ検出の通知を受けると、保留していた無線基地局ＢＳ（無線基地局ＢＳ−Ｘ，ＢＳ−Ｙ）へのハンドオーバを開始する。具体的には、保留していた無線基地局ＢＳ−Ｘ，ＢＳ−Ｙの電波周波数に同期するまで、スキャン処理部５１３により電波のスキャンを繰り返す。尚、スキャン処理部５１３は、広告メッセージに含まれる、他の無線基地局ＢＳ（無線基地局ＢＳ＃１〜ＢＳ＃４）の電波をスキャンしてもよいが、スキャンの順として、Ｄｉｓｔａｎｔ  Ｎｅｉｇｈｂｏｒ無線基地局ＢＳのスキャンの後にスキャンを行うこととする。【０１２０】
このように、本例では、端末ＭＳにおける電波のスキャンに関し、無線基地局ＢＳ＃５からのＢＳＨＯ−ＲＥＱメッセージに含まれる無線基地局ＢＳ（Ｄｉｓｔａｎｔ  Ｎｅｉｇｈｂｏｒ無線基地局ＢＳ−Ｘ，ＢＳ−Ｙ）を優先して（好ましくは、Ｒｅｃｏｍｍｅｎｄ  ＢＳリストＬ４に登録された無線基地局ＢＳに対してのみ）スキャンを行うため、全無線基地局ＢＳと対象とする全周波数のスキャンを行う場合と比較して、Ｄｉｓｔａｎｔ  Ｎｅｉｇｈｂｏｒ無線基地局ＢＳをより早く検出することができ、端末ＭＳの無線基地局ＢＳ−Ｙに対する再接続処理を早くすることができる。【０１２１】
端末ＭＳがトンネルを抜けると、物理層処理部６３では無線基地局ＢＳ−Ｙに対する無線周波数と同期が取れるようになる。物理層処理部６３はその旨をＨＯ判定部５１４に通知し、ＨＯ判定部５１４はその通知を受けるとネットワークエントリ処理部６２に無線基地局ＢＳ−Ｙへの登録手順の実行を指示する。【０１２２】
そして、ネットワークエントリ処理部６２は、登録手順の最初の手順であるＲＮＧ−ＲＥＱメッセージを無線基地局ＢＳ−Ｙに送信する（Ｓ５）。この際、ネットワークエントリ処理部６２は、ＲＮＧ−ＲＥＱメッセージに、ＢＳＨＯ−ＲＥＱメッセージに含まれるＨＯ−ＩＤと接続元の無線基地局ＢＳ＃５の識別子とを挿入して送信する。【０１２３】
無線基地局ＢＳ−Ｙのネットワークエントリ処理部２１は、端末ＭＳからＲＮＧ−ＲＥＱメッセージを受信すると、コンテキストバッファ２７を参照して、無線基地局ＢＳ＃５のコンテキストが既に登録されていると、端末ＭＳとの登録手順を省略または一部省略し、その旨をＲＮＧ−ＲＳＰメッセージに挿入して端末ＭＳに送信する（Ｓ２３）。
【実施例３】
【０１２４】
次に実施例３について説明する。実施例１では、Ｄｉｓｔａｎｔ  Ｎｅｉｇｈｂｏｒ  ＢＳリストＬ１へのＤｉｓｔａｎｔ  Ｎｅｉｇｈｂｏｒ無線基地局ＢＳに関する情報の登録は管理者が行うものとして説明した。本実施例３では、動的（自動的）に当該リストＬ１への登録を行う。例えば、電波不達領域に対して、新たにトンネルや道路等が完成して、予想外の無線基地局ＢＳが隣接しない無線基地局ＢＳとなる場合に特に有効である。【０１２５】
図８は、本実施例３における無線基地局ＢＳの構成例を示す図である。図２と同一の構成にはかっこ書き等で同一符号を付す。【０１２６】
本無線基地局ＢＳは、実施例２の無線基地局ＢＳの構成例（図４参照）と略同一であるが、Ｄｉｓｔａｎｔ  Ｎｅｉｇｈｂｏｒ  ＢＳ検出処理部１６を備え、Ｄｒｏｐ＆ＲｅｃｏｖｅｒリストＬ５を備えたことを特徴としている。【０１２７】
Ｄｒｏｐ＆ＲｅｃｏｖｅｒリストＬ５には、過去に端末ＭＳが当該無線基地局ＢＳと接続している最中に突然Ｄｒｏｐした端末ＭＳの識別子とＤｒｏｐした時刻、及びＤｒｏｐした端末ＭＳがＤｉｓｔａｎｔ  Ｎｅｉｇｈｂｏｒ無線基地局ＢＳとの間で登録手順（Ｎｅｔｗｏｒｋ  Ｅｎｔｒｙ）の完了した時刻が登録される。端末ＭＳの識別子とＤｒｏｐ時刻は、ネットワークエントリ処理部２１が登録し、登録手順を完了した時刻はＨＯ要求処理部２６が登録する。Ｄｒｏｐ＆ＲｅｃｏｖｅｒリストＬ５の例を図１０に示す。【０１２８】
Ｄｉｓｔａｎｔ  Ｎｅｉｇｈｂｏｒ  ＢＳ検出処理部１６は、Ｄｒｏｐ＆ＲｅｃｏｖｅｒリストＬ５を参照して、Ｄｒｏｐした端末ＭＳの記録（識別子とＤｒｏｐ時刻）と、Ｄｉｓｔａｎｔ  Ｎｅｉｇｈｂｏｒ無線基地局ＢＳへの登録手順の完了時刻との対応が、閾値以上繰返された場合、Ｄｉｓｔａｎｔ  Ｎｅｉｇｈｂｏｒ無線基地局ＢＳへの何らかの経路があるものとして、Ｄｉｓｔａｎｔ  Ｎｅｉｇｈｂｏｒ  ＢＳリストＬ１に当該Ｄｉｓｔａｎｔ  Ｎｅｉｇｈｂｏｒ無線基地局ＢＳの情報を登録する。尚、ここでは時刻情報を利用することとしたが、より簡単には、後述するコンテキストを転送した先の無線基地局ＢＳをＤｉｓｔａｎｔ  Ｎｅｉｇｈｂｏｒ  ＢＳリストＬ１に登録することもできる。その際、隣接無線基地局ＢＳはＬ１の登録対象から除外することが好ましい。【０１２９】
尚、Ｄｉｓｔａｎｔ  Ｎｅｉｇｈｂｏｒ  ＢＳ検出処理部１６は、図２のＤｉｓｔａｎｔ  Ｎｅｉｇｈｂｏｒ検出部１６と同一である。また、端末ＭＳの構成は実施例２と同様である（図５参照）。【０１３０】
次に動作について説明する。図９は、動作処理の例を示すシーケンス図である。尚、Ｄｉｓｔａｎｔ  Ｎｅｉｇｈｂｏｒ  ＢＳ検出処理部１６が、Ｄｒｏｐ＆ＲｅｃｏｖｅｒリストＬ５を参照してＤｉｓｔａｎｔ  Ｎｅｉｇｈｂｏｒ  ＢＳリストＬ１を作成した後の動作は、実施例１（図６参照）と同一であるため説明を省略する。ネットワーク構成例として図３を用いる。【０１３１】
本シーケンスでは、対象となる端末ＭＳを端末ＭＳ−０とする。そして、無線基地局ＢＳのＤｉｓｔａｎｔ  Ｎｅｉｇｈｂｏｒ  ＢＳリストＬ１には無線基地局ＢＳのリストが何ら登録されていない、あるいは端末ＭＳ−０がトンネル等を越えて移動する先の無線基地局ＢＳ（本例では無線基地局ＢＳ−Ｙ）がリストＬ１に登録されていない状態とする。【０１３２】
このような状態で処理が開始されると、まず端末ＭＳ−０は、無線基地局ＢＳ＃５（接続元の無線基地局ＳＢＳ）から定期的にＤＣＤメッセージを受信したり、Ｐｅｒｉｏｄｉｃ  Ｒａｎｇｉｎｇのためのレンジングメッセージの交換を行うことで無線基地局ＢＳ＃５との接続を維持する。【０１３３】
そして、端末ＭＳ−０がトンネルに入ると、接続維持のためのメッセージの交換ができず、Ｋｅｅｐ  Ａｌｉｖｅが途切れ、Ｄｒｏｐ検出部５５によりＤｒｏｐが検出される。【０１３４】
一方、無線基地局ＢＳ＃５のネットワークエントリ処理部２１は、端末ＭＳ−０のＤｒｏｐを検出し、Ｄｒｏｐ＆ＲｅｃｏｖｅｒリストＬ５にＤｒｏｐした端末ＭＳ−０の識別子及びＤｒｏｐした時刻を登録する（Ｓ１１０）。Ｄｒｏｐした端末ＭＳ−０の識別子は、以前の定期的なメッセージの交換によりネットワークエントリ処理部２１で保持されているものとする。またＤｒｏｐ時刻は、ネットワークエントリ処理部２１内のタイマにより検出する。【０１３５】
端末ＭＳ−０のネットワークエントリ処理部６２は、トンネルを抜けると、無線基地局ＢＳ−Ｙに対してＲＮＧ−ＲＥＱメッセージを送信する。ネットワークエントリ処理部６２は、Ｄｉｓｔａｎｔ  ＮｅｉｇｈｂｏｒリストＬ１には必要な情報が登録されていないため、従来技術の手順に従うため、かかるメッセージを送信する。このとき、ネットワークエントリ処理部６２は、接続元の無線基地局ＢＳ＃５の識別子をＲＮＧ−ＲＥＱメッセージに挿入して送信する。これにより、端末ＭＳ−０は無線基地局ＢＳ−Ｙに対する登録手順が開始される（Ｓ１０１）。【０１３６】
無線基地局ＢＳ−Ｙのネットワークエントリ処理部２１は、端末ＭＳ−０からＲＮＧ−ＲＥＱメッセージを受信すると、コンテキストバッファ２７を参照するが、端末ＭＳ−０のコンテキストは無線基地局ＢＳ＃５から無線基地局ＢＳ−Ｙに送信されていないため（予告なしに、端末ＭＳ−０が無線基地局ＢＳ＃５からＤｒｏｐしたため）、ＲＮＧ−ＲＥＱメッセージに含まれる接続元の無線基地局ＢＳ＃５の識別子からバックボーンネットワーク１００経由で無線基地局ＢＳ＃５に端末ＭＳ−０のコンテキストの取得を要求する（Ｃｏｎｔｅｘｔ  Ｒｅｑメッセージを無線基地局ＢＳ＃５に送信する）。【０１３７】
無線基地局ＢＳ＃５のＨＯ要求処理部２６はコンテキストバッファ２７を参照して端末ＭＳ−０のコンテキストを取得し、同じくバックボーンネットワーク１００経由で端末ＭＳ−０のコンテキストを無線基地局ＢＳ−Ｙに送信する（Ｃｏｎｔｅｘｔ  Ｒｐｔメッセージを送信する）。【０１３８】
無線基地局ＢＳ−ＹのＨＯ要求処理部２６は、無線基地局ＢＳ＃５から端末ＭＳ−０のコンテキストを取得できた場合、登録手順を全部または一部省略し、端末ＭＳ−０に対する登録手順が完了する。ＨＯ要求処理部２６は、バックボーンネットワーク１００経由で登録手順完了した旨のＨＯ  Ｃｏｍｐｌｅｔｅメッセージを無線基地局ＢＳ＃５に送信する。【０１３９】
無線基地局ＢＳ＃５のＨＯ要求処理部２６は、無線基地局ＢＳ−ＹからＨＯ  Ｃｏｍｐｌｅｔｅメッセージを受信すると、Ｄｒｏｐ＆ＲｅｃｏｖｅｒリストＬ５に端末ＭＳ−０のエントリがあればハンドオーバの完了時刻を登録する（図１０参照）。【０１４０】
無線基地局ＢＳ＃５のＤｉｓｔａｎｔ  Ｎｅｉｇｈｂｏｒ  ＢＳ検出処理部１６は、Ｄｒｏｐ＆ＲｅｃｏｖｅｒリストＬ５を参照して、同一ハンドオーバ先の無線基地局ＢＳ（隣接しない無線基地局ＢＳ）に対して、閾値以上（例えば、複数）の端末ＭＳ−０がハンドオーバしていることを検出すると、当該無線基地局ＢＳをＤｉｓｔａｎｔ  Ｎｅｉｇｈｂｏｒ  ＢＳリストＬ１に登録する（Ｓ１１１）。【０１４１】
この際、登録された無線基地局ＢＳに対して当該無線基地局ＢＳのチャネル情報を問い合わせＤｉｓｔａｎｔ  Ｎｅｉｇｈｂｏｒ  ＢＳリストＬ１に併せて登録する。また、Ｄｉｓｔａｎｔ  Ｎｅｉｇｈｂｏｒ  ＢＳリストＬ１に登録しておくべき時間（以下、Ａｇｉｎｇ  Ｔｉｍｅ）も併せて登録する。Ａｇｉｎｇ  Ｔｉｍｅ経過後は、Ｄｉｓｔａｎｔ  Ｎｅｉｇｈｂｏｒ  ＢＳリストＬ１から当該無線基地局ＢＳのエントリが削除されるため、メモリ容量の削減を図ることができる。【０１４２】
以降の処理は、実施例１で説明した例が有効となる。実施例１と同様の状態となった場合も、ネットワークエントリ処理部２１及びＨＯ要求処理部２６は、端末ＭＳがＤｒｏｐした時刻とハンドオーバ先の記録をＤｒｏｐ＆ＲｅｃｏｖｅｒリストＬ５に登録し、Ｄｉｓｔａｎｔ  Ｎｅｉｇｈｂｏｒ  ＢＳ検出処理部１６は、Ｄｉｓｔａｎｔ  Ｎｅｉｇｈｂｏｒ  ＢＳリストＬ１に既にエントリが存在する場合はそのＡｇｉｎｇ  Ｔｉｍｅを更新する。Ｄｉｓｔａｎｔ  Ｎｅｉｇｈｂｏｒ  ＢＳ検出処理部１６は、Ａｇｉｎｇ  Ｔｉｍｅ経過後は当該エントリを削除する。
【産業上の利用可能性】
【０１４３】
本発明は、携帯電話やＰＤＡ（Personal
Digital Assistance）などの移動端末が無線基地局と通信を行う無線通信システムに利用して好適である。
【図１】
2008050424.tif 000003
【図２】
2008050424.tif 000004
【図３】
2008050424.tif 000005
【図４】
2008050424.tif 000006
【図５】
2008050424.tif 000007
【図６】
2008050424.tif 000008
【図７】
2008050424.tif 000009
【図８】
2008050424.tif 000010
【図９】
2008050424.tif 000011
【図１０】
2008050424.tif 000012
【図１１】
2008050424.tif 000013
【図１２】
2008050424.tif 000014
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
無線基地局と端末との間で無線通信を行う無線通信システムにおいて、
前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成する広告メッセージ生成部と、
前記第２の無線基地局へのハンドオーバ指示を含むハンドオーバ要求メッセージを生成するハンドオーバ要求メッセージ生成部と、
前記広告メッセージと前記ハンドオーバ要求メッセージとを前記端末に送信する送信部とを備え、
前記端末には、
前記広告メッセージと前記ハンドオーバ要求メッセージとを受信する受信部と、
前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う端末側ハンドオーバ処理部とを備える、
ことを特徴とする無線通信システム。
【請求項２】
前記無線基地局は、更に、端末からの登録処理を行う登録処理部を備え、
前記端末は、前記無線基地局への登録手順を行う登録処理部を備え、
前記無線基地局の登録処理部は、端末の登録手順が完了したことを契機に前記広告メッセージと前記ハンドオーバ要求メッセージとを前記端末に送信することを特徴とする請求項１記載の無線通信システム。
【請求項３】
前記無線基地局には、更に、前記第２の無線基地局の前記チャネル情報が予め登録された第１の情報テーブルを備え、
前記広告メッセージ生成部は前記第２の情報テーブルを参照して前記広告メッセージを生成することを特徴とする請求項１記載の無線通信システム。
【請求項４】
前記無線基地局には、更に、前記端末との通信が切断されたとき当該端末の情報を履歴リストに登録するとともに、前記端末が前記第２の無線基地局との間でハンドオーバが完了したとき当該第２の無線基地局の情報を前記履歴リストに登録するリスト登録部と、
前記履歴リストを参照し、前記第２の無線基地局へハンドオーバした前記端末が閾値以上のとき、前記第２の無線基地局の情報を第１の情報テーブルに登録する無線基地局検出部とを備え、
前記広告メッセージ生成部は前記第１の情報テーブルを参照して前記広告メッセージを生成することを特徴とする請求項１記載の無線通信システム。
【請求項５】
前記リスト登録部には、前記第２の無線基地局から前記端末のハンドオーバの完了通知を受ける第１の無線基地局側ハンドオーバ処理部を含み、
前記第１の無線基地局側ハンドオーバ処理部は、予め指定された時間だけ前記履歴リストに前記端末と前記第２の無線基地局の情報を登録することを特徴とする請求項４記載の無線通信システム。
【請求項６】
前記無線基地局には、更に、前記端末が前記無線基地局との登録が完了した後であって前記送信部から前記広告メッセージが少なくとも一回送信された後に、前記無線基地局との登録で使用される前記端末の通信パラメータを、前記無線基地局と前記第２の無線基地局とが接続されたバックボーンネットワークを介して前記第２の無線基地局に送信する第２の無線基地局側ハンドオーバ処理部を備え、
前記端末と前記第２の無線基地局とのハンドオーバの登録を行う際に前記通信パラメータにより当該登録の手順が省略されることを特徴とする請求項１記載の無線通信システム。
【請求項７】
前記端末と前記無線基地局若しくは前記第２の無線基地局とのハンドオーバの登録とは、初期レンジングからレジストレーションまでの各手順で対応したメッセージを前記端末と前記無線基地局若しくは前記第２の無線基地局との間で行われることであって、前記端末の通信パラメータは前記各手順で対応したメッセージに含まれる情報である、ことを特徴とする請求項６記載の無線通信システム。
【請求項８】
前記端末側ハンドオーバ処理部は、前記第２の無線基地局とハンドオーバ可能な状態ではないことを検出したとき、前記無線基地局からの前記ハンドオーバ要求メッセージによるハンドオーバ要求を保留し、前記無線基地局との通信が切断されたときに前記チャネル情報を用いて前記ハンドオーバ要求メッセージで指示された前記第２の無線基地局へのハンドオーバを行うことを特徴とする請求項１記載の無線通信システム。
【請求項９】
端末との間で無線通信を行う無線基地局において、
前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成する広告メッセージ生成部と、
前記第２の無線基地局へのハンドオーバ指示を含むハンドオーバ要求メッセージを生成するハンドオーバ要求メッセージ生成部と、
前記広告メッセージと前記ハンドオーバ要求メッセージとを前記端末に送信する送信部とを備えることを特徴とする無線基地局。
【請求項１０】
無線基地局と端末との間で無線通信を行う無線通信システムにおける無線基地局切替え方法おいて、
前記無線基地局において、
前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めて前記広告メッセージを生成して前記端末に送信し、
前記第２の無線基地局へのハンドオーバ指示を含むハンドオーバ要求メッセージを生成して前記端末に送信し、
前記端末において、
前記広告メッセージと前記ハンドオーバ要求メッセージとを受信し、
前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う、
ことを特徴とする無線基地局切替え方法。
【請求項１１】
無線基地局と無線通信を行う移動端末において、
前記無線基地局の電波到達範囲であるセル範囲と直接隣接するセル範囲を有する第１の無線基地局のチャネル情報を含む広告メッセージに、前記無線基地局のセル範囲と電波不達領域を介して隣接するセル範囲を有する第２の無線基地局のチャネル情報を含めた前記広告メッセージを受信するとともに、前記第２の無線基地局へのハンドオーバ指示を含むハンドオーバ要求メッセージを受信する受信部と、
前記ハンドオーバ要求メッセージで指示された前記第２の無線基地局に対してハンドオーバ可能な状態か否かを検出し、ハンドオーバ可能な状態になったとき、前記広告メッセージに含まれる前記第２の無線基地局のチャネル情報を用いて前記第２の無線基地局とハンドオーバを行う端末側ハンドオーバ処理部とを備えることを特徴とする移動端末。
【請求項１２】
移動端末との間で無線通信を行う無線基地局において、  
該無線基地局の形成する第１無線エリアに隣接しない第２無線エリアを形成する無線基地局の送信チャネル情報を送信する送信部、
を備えたことを特徴とする無線基地局。
【請求項１３】
前記送信部は、配下の移動端末に対して、前記第２無線エリアを形成する無線基地局へのハンドオーバを指示する信号を送信する、ことを特徴とする請求項１２記載の無線基地局。
【請求項１４】
無線基地局との間で無線通信を行う移動端末において、
該無線基地局から該無線基地局の形成する第１無線エリアに隣接しない第２無線エリアを形成する無線基地局の送信チャネル情報を受信する受信部と、
該送信チャネル情報を用いて、該第２無線エリアを形成する無線基地局からの受信電波の検出を行うスキャン部と、
を備えたことを特徴とする移動端末。
【国際調査報告】
2008050424.tif 000015
2008050424.tif 000016
2008050424.tif 000017